(57)【特許請求の範囲】
【請求項１】
正規設置姿勢では、可動接触子を保持するクロスバーが水平方向に変位するように設置される電磁接触器であって、
前記クロスバー及び可動接触子を中央部に収容するハウジングと、
前記クロスバーを上下から挟むように前記ハウジングに配置され、該ハウジングとの間に隙間を有して固定された対の固定接触子と、
前記クロスバーの前記隙間に対向する範囲に形成され、前記隙間から落下する異物を捕獲する受け溝と、
を備えることを特徴とする電磁接触器。
【請求項２】
前記受け溝は、前記クロスバーが前記可動接触子と固定接触子の閉位置、開位置に変位するのに拘わらず前記隙間に対向するように拡幅された拡幅部と、該拡幅部の底に形成され前記異物を閉じ込める幅の狭い落し穴と、を有することを特徴とする請求項１に記載の電磁接触器。
【発明の詳細な説明】
【技術分野】
【０００１】
本発明は、電磁石のＯＮ／ＯＦＦにより電気回路を開閉する電磁接触器に関する。
【背景技術】
【０００２】
従来、消弧室カバー（アークカバー）の消孤隔壁（縦壁間カバー）にあけられたガス抜き穴の内側に、消孤隔壁と平行にかつこれと適宜の間隔を介して短冊状の異物侵入防止壁が設けられた電磁接触器の防塵装置において、異物侵入防止壁の消孤隔壁と対向する面の周囲にリブを土手状に巡らせて消弧隔壁との対向面を凹状とすることにより、ガス抜き穴から入り込んだ異物をこの凹部内に捕捉し、この異物が電磁接触器の開閉振動で異物侵入防止壁の周囲から滑り落ちないようにした電磁接触器の防塵装置が開示されている（例えば、特許文献１参照）。
【０００３】
また、少なくとも２枚の前後方向の縦壁を有するハウジングと、前記縦壁間の上部に配置され前記ハウジングの前方を向く端子及び前記縦壁間の中央部寄りに配置される固定接点を有する上部固定接触子と、前記縦壁間の下部に配置され前記ハウジングの前方を向く端子及び前記縦壁間の中央部寄りに配置される固定接点を有する下部固定接触子と、前記縦壁間の中央部に配置され前記上下の固定接点に対向して配置される一対の可動接点を有する可動接触子と、前記可動接触子の前方の前記縦壁間を覆う前面カバーと、該前面カバーから突出し前記縦壁間に挿入されて前記上下の固定接触子のそれぞれの端子の中央側端部まで延在する一対の縦壁間カバーとを有し、前記固定接点及び可動接点を覆うアークカバーと、を備えた電磁接触器において、前記縦壁に前記縦壁間カバーの側部を嵌合する溝を設け、前記一対の縦壁間カバーの先端部を前記上下の固定接触子のそれぞれの端子の中央側端部の奥まで延在させ、前記縦壁間カバーの上面に、前記縦壁間カバーの側部及び先端部から該縦壁間カバーの中央部に向けて下り勾配となる傾斜面を設けたことを特徴とし、微小異物が縦壁間カバーの上面に落下すると、その微小異物は傾斜面により縦壁間カバーの中央部に移動するので、縦壁間カバーの側部と縦壁の溝との間、及び、端子の中央側端部と縦壁間カバーの先端部との間に微小隙間があっても、電磁接触器の開閉振動によって、微小異物が微小隙間を通って電磁接触器内に侵入することはなく、接点の導通不良や電磁石の動作不良の発生を低減した電磁接触器が開示されている（例えば、特許文献２参照）。
【先行技術文献】
【特許文献】
【０００４】
【特許文献１】特開平０５−００２９６２号公報
【特許文献２】特開２００６−３１０１８４号公報
【発明の概要】
【発明が解決しようとする課題】
【０００５】
しかしながら、上記従来の技術によれば、消孤室カバー（アークカバー）から侵入した異物は閉じ込めることができるが、固定接触子とハウジングとの隙間から進入した異物は閉じ込めることはできない。そのため、内部に入ってしまった異物は、電磁接触器の開閉振動や開閉による空気の対流、他の制御機器の振動等により異物が拡散し、異物が接点付近に飛散して可動接点と固定接点の間に噛み込まれ、接触不良を起すという問題がある。
【０００６】
本発明は、上記に鑑みてなされたものであって、固定接触子とハウジングとの隙間から進入した異物を閉じ込めることができる電磁接触器を得ることを目的とする。
【課題を解決するための手段】
【０００７】
上述した課題を解決し、目的を達成するために、本発明は、正規設置姿勢では、可動接触子を保持するクロスバーが水平方向に変位するように設置される電磁接触器であって、前記クロスバー及び可動接触子を中央部に収容するハウジングと、前記クロスバーを上下から挟むように前記ハウジングに配置され、該ハウジングとの間に隙間を有して固定された対の固定接触子と、前記クロスバーの前記隙間に対向する範囲に形成され、前記隙間から落下する異物を捕獲する受け溝と、を備えることを特徴とする。
【発明の効果】
【０００８】
本発明によれば、固定接触子とハウジングとの隙間から進入した異物を閉じ込めることができる、という効果を奏する。
【図面の簡単な説明】
【０００９】
【図１】図１は、本発明に係る電磁接触器の実施の形態を示す正面図である。
【図２】図２は、図１のＡ−Ａ線に沿う断面図である。
【図３】図３は、実施の形態の電磁接触器の非通電状態における異物落下経路を示す断面図である。
【図４】図４は、実施の形態の電磁接触器の通電状態における異物落下経路を示す断面図である。
【発明を実施するための形態】
【００１０】
以下に、本発明にかかる電磁接触器の実施の形態を図面に基づいて詳細に説明する。なお、この実施の形態によりこの発明が限定されるものではない。
【００１１】
実施の形態 ．
図１は、本発明に係る電磁接触器の実施の形態を示す正面図であり、図２は、図１のＡ−Ａ線に沿う断面図であり、図３は、実施の形態の電磁接触器の非通電状態における異物落下経路を示す断面図であり、図４は、実施の形態の電磁接触器の通電状態における異物落下経路を示す断面図である。
【００１２】
図１〜図４に示すように、実施の形態の電磁接触器９０は、ハウジング１０と、ハウジング１０の中央部に収容、配置された回路開閉機構２０と、ハウジング１０に取付けられ回路開閉機構２０を覆うカバー１１と、ハウジング１０に（図２〜図４において右側に）取付けられ回路開閉機構２０を作動させる図示しない電磁作動装置と、を備えている。ハウジング１０及びカバー１１は、ガラス繊維で強化された絶縁材料により形成されている。実施の形態の電磁接触器９０は、正規設置姿勢として、図２〜図４に示すように、後述のクロスバー２２が水平方向に変位するように、制御盤等の内部に設置される。
【００１３】
回路開閉機構２０は、対の固定接触子２１と、クロスバー２２と、可動接触子２３と、を備えている。対の固定接触子２１は、夫々、Ｕ字形に形成され、開口部を中央に向けて、クロスバー２２を上下から挟むように、ハウジング１０に配置、固定されている。固定接触子２１の一片２１ａの中央寄りに固定接点２１ｃが固着され、他片２１ｂには、端子ネジ２１ｄが取付けられている。実施の形態の電磁接触器９０は、四対の固定接触子２１を備えている。
【００１４】
クロスバー２２は、ハウジング１０の中央部に配置され、図２の左右に変位自在となっていて、図示しない前記電磁作動装置により駆動されて左右（水平方向）に変位する。クロスバー２２の四角窓２２ａには、固定接点２１ｃの夫々と接触し開離する一対の可動接点２３ａを両端に有する細長板状の可動接触子２３が、その中央部を四角窓２２ａの底辺に位置させるようにして、挿入され保持されている。
【００１５】
可動接触子２３の中央部は、接点ばね２４の一端に係合している。接点ばね２４は少し圧縮され、その他端が四角窓２２ａの上辺に係合している。電磁作動装置が非通電（開位置）である図２及び図３の状態では、可動接触子２３は、接点ばね２４により四角窓２２ａの底辺に押付けられている。
【００１６】
次に、電磁接触器９０の動作を説明する。図示しない電磁作動装置の励磁コイルに電流を流すと、クロスバー２２及び可動接触子２３が、図２の右方へ変位し、図４に示すように、固定接点２１ｃと可動接点２３ａを接触させる閉位置となり、電磁接触器９０は、通電状態となる。
【００１７】
前記励磁コイルの電流を断つと、電磁作動装置の復帰ばねにより、クロスバー２２が左方に変位し、図３に示すように、固定接点２１ｃと可動接点２３ａが解離する開位置となり、電磁接触器９０は、非通電状態となる。
【００１８】
次に、実施の形態の電磁接触器９０の特徴的な構成について説明する。固定接触子２１の一片２１ａとハウジング１０の仕切壁１０ａとの間には、僅かな隙間１０ｂが存在する（電磁接触器９０のような量産品においては、個々の部品の寸法を全て同一にして部品間の隙間をゼロにすることは難しく、ハウジング１０のような樹脂成型品と、固定接触子２１のような金属部品との間には、どうしても僅かな隙間１０ｂができてしまう）。
【００１９】
隙間１０ｂは、図１〜図４に示す電磁接触器９０の正規設置姿勢において、ハウジング１０の天面１０ｃ方向を向いている。図３及び図４に示すように、天面１０ｃに絶縁性の異物３０が落下すると、電磁接触器９０の開閉振動、他の機器が発生する振動及び周囲の空気の流れにより、異物３０が隙間１０ｂに進入してしまうことがある。
【００２０】
図３に示すように、電磁接触器９０の非通電状態（開位置）では、ハウジング１０と固定接触子２１と間の隙間１０ｂに進入した異物３０は、重力によりハウジング１０の内部に落下していく。実施の形態の電磁接触器９０の特徴的な構成として、クロスバー２２には、可動接触子２３と固定接触子２１の閉位置、開位置に拘わらず、隙間１０ｂに対向する範囲に、受け溝４０が形成されている。
【００２１】
受け溝４０は、傾斜面４０ａ、４０ｂを有する拡幅部４０ｃと、拡幅部４０ｃの底部に形成された幅の狭い落し穴４０ｄとを備えている。拡幅部４０ｃは、電磁接触器９０の非通電状態（開位置）では、異物３０が傾斜面４０ａ上に落ちるように、電磁接触器９０の通電状態（閉位置）では、傾斜面４０ｂ上に落ちるように、形状・寸法が設定されている。
【００２２】
拡幅部４０ｃ内に落下した異物３０は、傾斜面４０ａ、４０ｂ上を移動して落し穴４０ｄ内に収容され閉じ込められ、捕獲される。１０Ａクラスの小形の電磁接触器９０の場合、落し穴４０ｄは、幅１ｍｍ、深さ３ｍｍ程度の寸法に形成され、異物３０は、一旦、落し穴４０ｄに落ちると、電磁接触器９０の開閉振動や、他の機器の振動により落し穴４０ｄから飛び出すことはない。
【００２３】
また、電磁接触器９０の開閉動作時に、クロスバー２２及び可動接触子２３の動作により、ハウジング１０内部に空気の対流が起こるが、その対流は、クロスバー２２の拡幅部４０ｃを通るのみで、落し穴４０ｄは、対流の影響を受けず、異物３０が対流によって飛び出すこともない。
【００２４】
また、落し穴４０ｄに閉じ込められた異物３０は、ハウジング１０と固定接触子２１との間の隙間１０ｂより小さいものであり、電磁接触器９０の寿命が来るまでに、落し穴４０ｄが異物３０で満杯になることはない。以上説明したように、外部から進入してきた異物３０を落し穴４０ｄに閉じ込めてしまうことにより、異物３０が、固定接点２１ｃ、可動接点２３ａに付着する確率を小さくし、電磁接触器９０の接触不良を低減させることができる。
【符号の説明】
【００２５】
１０  ハウジング
１０ａ  仕切壁
１０ｂ  隙間
１０ｃ  天面
１１  カバー
２０  回路開閉機構
２１  固定接触子
２１ａ  一片
２１ｂ  他片
２１ｃ  固定接点
２１ｄ  端子ネジ
２２  クロスバー
２２ａ  四角窓
２３  可動接触子
２３ａ  可動接点
２４  接点ばね
３０  異物
４０  受け溝
４０ａ、４０ｂ  傾斜面
４０ｃ  拡幅部
４０ｄ  落し穴
９０  電磁接触器
【図１】
0005419928.tif 000002
【図２】
0005419928.tif 000003
【図３】
0005419928.tif 000004
【図４】
0005419928.tif 000005